(57)【特許請求の範囲】
【請求項１】
床を複数の所定形状のブロックに分割し、各ブロックの任意のものを高さ調節可能な昇降手段を備える複数の可動床体とし、他の任意のものを高さ調節可能な昇降手段を備える可動階段体とすることとし、
可動床体に設ける昇降手段は、可動床体の下面から突設した支持フレームと、この支持フレームを適宜高さ位置に係止する昇降フレームと、この昇降フレーム内に一体に取付けられた内ネジによる昇降パイプと、ベース上に立設され前記昇降パイプの内部に螺合するネジ棒と、前記と同じベース上に立設され昇降フレームが昇降するガイドパイプと、前記ネジ棒を回転させるギヤとで構成し、
可動階段体は複数に分割された踏板で構成し、この可動階段体に設ける昇降手段は、可動階段体の下面から突設した支持フレームと、この支持フレームを適宜高さ位置に係止する昇降フレームと、この昇降フレーム内に一体に取付けられた内ネジによる昇降パイプと、ベース上に立設され前記昇降パイプの内部に螺合するネジ棒と、前記と同じベース上に立設され昇降フレームが昇降するガイドパイプと、前記ネジ棒を回転させるギヤと、各ステップに接続されて各ステップを平坦位置から階段状に同時に上昇させるリンク機構とで構成したこと
を特徴とする可動床。
【請求項２】
前記可動床体には、椅子が着脱自在に取付けられる請求項１記載の可動床。
【請求項３】
前記昇降フレームは、複数の縦横方向のブロックに分割された可動床体の全部をそれぞれの任意の高さに同時に昇降させることができるよう、各分割体ごとに矩形のものを平面格子状として並べて形成し、各格子ごとに支持フレームを介して複数のブロックを支持して、各ブロックごとに各格子を対応させた請求項１または請求項２に記載の可動床。
【発明の詳細な説明】
【技術分野】
【０００１】
本発明は、多目的ホール、スタジオなどに設けられる可動床に関するものである。
【背景技術】
【０００２】
多目的ホールなどでは、床面を複数のブロックに分割してそれぞれを可動床とし、この可動床にこれらを個々に昇降させる手段を設けたものがある（特許文献１参照）。
【０００３】
これは、複数の可動床と、該可動床を個々に昇降させる手段とを有する可動床システムにおいて、前記複数の可動床は横方向に複数のブロックとして分割し、各ブロックごとに独立して当該可動床の高さを調節可能としたもので、可動床を階段状観客席にしたり、ステージにしたり、平床にする他に、ホール内において下段フロアーと上段フロアーとの間に可動床からなる階段を設けたりするなどして、多様性に富んだ可動床配列を行えるものである。
【特許文献１】特開平１０−３１７７００号公報
【発明の開示】
【発明が解決しようとする課題】
【０００４】
前記従来例では、複数に分割される可動床の各ブロックは、分割方向が横方向のみであるため、分割されたブロックのそれぞれの高さを異ならせることでフロアーに階段を設けて、床面を階段状に形成する場合も、階段の方向が限定されてしまい、使用態様が規制される。
【０００５】
また、階段は、各ブロックの高さを異ならせることで形成するから、階段の蹴込み幅も通常の階段よりも大きくなり、昇降しにくいことがある。
【０００６】
本発明の目的は前記従来例の不都合を解消し、横方向だけでなく縦方向にも床面を階段状に形成でき、任意の箇所を任意方向に階段状または高さの異なる平坦状に形成できて使用態様をさらに多様化でき、階段も専用のブロックを設けることでさらに使い勝手のよいものにできる可動床を提供することにある。
【課題を解決するための手段】
【０００７】
本発明は前記目的を達成するため、請求項１記載の本発明は、床を複数の所定形状のブロックに分割し、各ブロックの任意のものを高さ調節可能な昇降手段を備える複数の可動床体とし、他の任意のものを高さ調節可能な昇降手段を備える可動階段体とすることとし、可動床体に設ける昇降手段は、可動床体の下面から突設した支持フレームと、この支持フレームを適宜高さ位置に係止する昇降フレームと、この昇降フレーム内に一体に取付けられた内ネジによる昇降パイプと、ベース上に立設され前記昇降パイプの内部に螺合するネジ棒と、前記と同じベース上に立設され昇降フレームが昇降するガイドパイプと、前記ネジ棒を回転させるギヤとで構成し、可動階段体は複数に分割された踏板で構成し、この可動階段体に設ける昇降手段は、可動階段体の下面から突設した支持フレームと、この支持フレームを適宜高さ位置に係止する昇降フレームと、この昇降フレーム内に一体に取付けられた内ネジによる昇降パイプと、ベース上に立設され前記昇降パイプの内部に螺合するネジ棒と、前記と同じベース上に立設され昇降フレームが昇降するガイドパイプと、前記ネジ棒を回転させるギヤと、各ステップに接続されて各ステップを平坦位置から階段状に同時に上昇させるリンク機構とで構成したことを要旨とするものである。
【０００８】
請求項１記載の本発明によれば、床を所定方向（例えば縦横方向）のブロックに複数分割したから、任意のブロックを昇降させることで、種々の方向に階段状の床や平坦なステージなどを形成できる。また、階段を形成するブロックも別途設けたから、使用態様に応じて任意の場所に専用の階段を設けられる。
【０００９】
また、昇降手段は、可動床体を支持する支持フレームを昇降させるネジ棒、昇降パイプ、昇降フレーム、ガイドパイプ、ギヤとで機械的に構成するから、構造簡単であり、ギヤを組合わせることでモータ等の駆動源を複数の可動床体に共用できる。
【００１０】
さらに、可動階段体の昇降手段も基本構成は可動床体の昇降手段と同じであるから、部品を共通化できる。そして、この構造にリンク機構を付加するだけで、各ステップを同時に階段状に昇降できる。
【００１１】
請求項２記載の本発明は、前記可動床体には、椅子が着脱自在に取付けられることを要旨とするものである。
【００１２】
請求項２記載の本発明によれば、椅子は可動床体に常設的に収納しないから、平土間にすることもステージにすることもできる。
【００１３】
請求項３記載の本発明は、前記昇降フレームは、複数の縦横方向のブロックに分割された可動床体の全部をそれぞれの任意の高さに同時に昇降させることができるよう、各分割体ごとに矩形のものを平面格子状として並べて形成し、各格子ごとに支持フレームを介して複数のブロックを支持して、各ブロックごとに各格子を対応させたことを要旨とするものである。
【００１４】
請求項３記載の本発明によれば、平面格子状に並べた矩形のものの１つのフレームで複数のブロックの可動床体を同時に異なる高さに昇降でき、所望の昇降フレームに対して１つの駆動装置でフレームを昇降できるから、各ブロックごとに駆動装置を設置する必要がない。
【発明の効果】
【００１５】
以上述べたように本発明の可動床は、横方向だけでなく縦方向にも床面を階段状に形成でき、任意の箇所を任意方向に階段状または高さの異なる平坦状に形成できて階段やステージを自由に設定することで使用態様をさらに多様化でき、階段も専用のブロックを設けることでさらに使い勝手のよいものにできる。
【発明を実施するための最良の形態】
【００１６】
以下、図面について本発明の実施形態を詳細に説明する。図１は本発明の可動床の実施形態を示す一部の平面図、図２は同上床下の一部の平面図、図３は本発明の可動床の実施形態を示す要部の縦断正面図である。
【００１７】
本発明の可動床１は図１２（ａ）の平面図に示すように全体を複数の分割体１ａ，１ｂ，１ｃ，……１ｎに分割し、各分割体１ａ…１ｎをさらに複数（図１に示す例では９個）の縦横方向のブロック１−１，１−２，１−３……１−９に分割して、そのうちの任意の箇所、例えば図１に示す例では左上角部のブロック１−１を可動階段体３とし、その他のブロック１−２，１−３……１−９を可動床体２とする。
【００１８】
可動床体２および可動階段体３はそれぞれ独立して個別に昇降するものであり、床下２ａや階段下３ｅに昇降手段を備える。
【００１９】
可動床体２の昇降手段は、図２〜図４に示すように可動床体２の下面からブロック１−１，１−２……ごとに突設した支持フレーム５と、この支持フレーム５を適宜高さ位置に係止する昇降フレーム６と、この昇降フレーム６内に一体に取付けられた内ネジによる昇降パイプ１７と、ベース７上に立設され前記昇降パイプ１７の内部に螺合するネジ棒８と、前記と同じベース７上に立設され昇降フレーム１７が昇降するガイドパイプ９と、前記ネジ棒８を回転させる駆動用のギヤ１０とで構成する。
【００２０】
昇降フレーム６は、各分割体１ａ…１ｎごとに平面格子状に並べた矩形のもので形成し、各格子ごとに支持フレーム５を介して複数のブロック１−１，１−２……を支持する。
【００２１】
前記支持フレーム５には、図８、図１０に示すように平面コ字形のフレーム本体に長さ方向にそって適宜間隔で複数のピン受け５ａを水平に並設するか、または、図３に示すように長さ方向に適宜間隔で係止孔５ｂを穿設してある。
【００２２】
そして、この支持フレーム５に対して長さ方向で平行にネジ棒８またはガイドパイプ９をベース７から立設させて併設し、ネジ棒８およびガイドパイプ９に昇降フレーム６を昇降自在に取付ける。
【００２３】
前記のように昇降フレーム６には内ネジである昇降パイプ１７が内蔵されており、この昇降パイプ１７内にネジ棒８が螺合することになる。
【００２４】
この場合、各ブロック１−２，１−３……ごとにネジ棒８を配置する必要はなく、ブロック１−２，１−３……が集合される分割体１ｂ，１ｃ……ごとに少なくとも１つを配設し、駆動装置であるモータ４に連結する。そして、ネジ棒８が配設されなかった箇所にはガイドパイプ９を配置する。
【００２５】
これにより、少なくとも一つの駆動装置で格子状に並べたものの矩形の１つを昇降フレーム６を昇降させ分割体１ｂ，１ｃ……全体を、すなわち複数のブロック１−２，１−３……を同時に昇降させることができる。
【００２６】
昇降フレーム６は、図８〜図１１に示すように正面コ字形のフレーム本体からピン６ａを支持フレーム５の方向に向けて水平方向に出没自在に設けたもので、ピン６ａはソレノイド６ｃのプランジャー６ｄにより回動するＬ字形のアーム６ｂの先端に結合されて、突出時に、支持フレーム５に形成してある係止孔５ｂまたはピン受け５ａに係止するように構成してある。ピン受け５ａに係止させる構造の場合は、ピン６ａの先端に係止用の切欠き６ｅを上向きのＵ字形に形成する。
【００２７】
かかるネジスクリュー式の昇降手段を分割体１ｂ，１ｃ……ごとに設ける。
【００２８】
可動床体２を上昇させるには、図５に示すようにそれぞれのブロックごとに上昇高さを設定し、モータ４を駆動してギヤ１０を回転して、ネジ棒８を回転させる（図５ａ）。
【００２９】
これにより、ネジ棒８に螺合している昇降パイプ１７が上昇してこれと一体の昇降フレーム６がネジ棒８にそって上昇する。同時にガイドパイプ９に昇降自在に取付けてある昇降フレーム６もガイドパイプ９にそって上昇する（図５ｂ）。このとき、ソレノイド６ｃには通電されていないから、図８、図９に示すようにピン６ａは昇降フレーム６の本体内に収納され、支持フレーム５の方向には突出しておらず、ピン６ａが昇降フレーム６の上昇を妨げることはない。
【００３０】
昇降フレーム６が昇降パイプ１７およびガイドパイプ９にそって所定高さまで上昇したところでソレノイド６ｃに通電されて昇降フレーム６の本体からピン６ａが支持フレーム５の方向に突出し（図５ｃ）、支持フレーム５が昇降フレーム６に固定される。
【００３１】
この場合、ピン６ａの先端に切欠き６ｅが形成してあるときは、切欠き６ｅ内にピン受け５ａが係合してピン６ａを介して昇降フレーム６で支持フレーム５のピン受け５ａを押し上げることで支持フレーム５が上昇する。
【００３２】
また、支持フレーム５に係止孔５ｂが形成してある場合は、ピン６ａがこの係止孔５ｂに挿入することで、ピン６ａを介して昇降フレーム６で支持フレーム５を押し上げる。
【００３３】
この状態で昇降フレーム６をさらに設定高さ位置まで上昇させれば、昇降フレーム６と一体になった支持フレーム５が上昇して（図５ｄ）、床板が所定の設定位置まで上昇する。
【００３４】
前記昇降手段はブロック１−２，１−３……に分割された可動床体２ごとに設けられ、各可動床体２ごとに昇降フレーム６から支持フレーム５に向けて突出させるピン６ａの高さ位置を異ならせて異なる高さのピン受け５ａまたは係止孔５ｂを選択することで、各可動床体２ごとに上昇高さを異ならせ、図３、図４に示すように床面を階段状に形成できる。これにより、一体ものの１つの格子状の昇降フレーム６が昇降して、同時に異なる高さに複数の可動床体２を昇降できる。
【００３５】
ブロック１−１に形成した可動階段体３は、図６に示すように一例として床板の一方の角部を方形の踏板３ａに、他の部分をこの方形部を囲むようなＬ字形の踏板３ｂ，３ｃ……に形成し、各踏板３ａ…はそれぞれ個別に独立して昇降自在なものとする。
【００３６】
そして、角部の踏板３ａとこれと対向位置の他の角部に位置する踏板（図６に示した例では踏板３ｄ）に、前記可動床体２に設置したと同様の昇降手段を設ける。
【００３７】
本発明ではこれに加えて、図７に示すように各踏板３ａ…の下方にシリンダー１１とピストン１２およびこのピストン１２の一端に回動自在に結合してリンク機構を構成するアーム１３とによる階段状に各踏板３ａ…を上昇させる機構を設ける。
【００３８】
各踏板３ａ…は、一方の外側に位置する踏板３ｄを除く他の踏板３ａ…のそれぞれの下部がシリンダー１１の外面に回動自在に軸着される。
【００３９】
可動階段体３の踏板３ａ…を階段状に上昇させるには、図７に示すように一方の踏板３ａ側の支持フレーム５に係合する昇降フレーム６の結合固定位置と、他方の踏板３ｄ側の支持フレーム５に係合する昇降フレーム６の結合固定位置とを異ならせて、踏板３ａと踏板３ｄとの昇降高さを異ならせる。図示の例では踏板３ａが高く、踏板３ｄが低く設定されている。
【００４０】
そして、踏板３ａと踏板３ｄを上昇させれば、両踏板３ａ，３ｄの間に配置されている踏板３ｂ，３ｃは、シリンダー１１を介して踏板３ａに、ピストン１２およびアーム１３を介して踏板３ｄにそれぞれ連結しているから、シリンダー１１が斜めになりながら上昇し、同時にピストン１２がシリンダー１１から斜めに引出されるのに追随して、各踏板３ｂ，３ｃは異なる高さに階段状に上昇する。
【００４１】
これにより、可動階段体３は平坦な状態から階段状に変化する。
【００４２】
以上のようにして可動床体２の任意位置のものを任意の高さに上昇させ、可動階段体３も階段状に上昇させることで、図１２に示す全体が平坦な状態から、図１３に示すように一方の側に図１３において縦長のステージ１４を設け、他方の側にステージ１４と対向させて並列に平坦な可動床体２によるフロアーと、階段状のフロアー１５とを設けるようにしてもよいし、また、図１４に示すように床にコ字形に階段状のフロアー１５を形成し、任意の場所にステージ１４を形成し、任意の位置のフロアーを階段状のフロアー１５に形成できる。
【００４３】
そして、階段状のフロアー１５に上るには、角部の可動階段体３を使用することで階段状のフロアー１５の上段に到達できる。
【００４４】
また、各階段状のフロアー１５には椅子１６を設置する。設置手段としては、各可動床体２に設置用の差込孔などを必要な方向に必要な数設けておいてもよいが、可動床体２の上に置くだけでもよい。
【００４５】
図１５から図２１は、椅子１６を差込式とした場合の固定構造を示すもので、椅子１６の左右の側板１８の下部から長方形の差込片１９を複数、図示の例では２個、下方に向けて突設し、この差込片１９に係止孔２０を設けておく。
【００４６】
可動床体２の端部には、前記差込片１９が挿入する差込孔２１を設け、この差込穴２１の下方の可動床体２の内部に固定機構を配設する。
【００４７】
固定機構は、一例として、ラッチ２２によるものとし、上面をテーパー面に形成したラッチ２２を前記差込孔２１の直下方向に出没するよう水平方向にスライド自在に配設する。
【００４８】
図中２３はラッチ２２をスライドさせるための軸部、２４は軸部２３を回転させる六角棒、２５は六角棒２４を挿入するための挿入孔を示す。
【００４９】
かかる椅子１６の固定機構を椅子１６の左右両側にそれぞれ例えば２個、配設する。
【００５０】
椅子１６を可動床体２に固定する方法を説明する。椅子１６が設置されていない状態では、図１８に示すようにラッチ２２は差込孔２１の直下に突出している。
【００５１】
この状態で差込片１９を差込孔２１に差込むと、差込片１９がラッチ２２の上面のテーパー面にそって下降し、ラッチ２２を押す。これによりラッチ２２はスライドして差込片１９の下方から外れた収納位置に没入する。
【００５２】
さらに差込片１９が下降して、差込片１９に形成してある係止孔２０に対応する位置にラッチ２２がくると、図１９に示すようにラッチ２２はスライドして復位し係止孔２０内に入り込み、これによりラッチ２２に差込片１９が固定され、椅子１６が可動床体２に固定される。
【００５３】
椅子１６を可動床体２から撤去するには、図２０に示すように六角棒２４を挿入孔２５に挿入して軸部２３を回動することでラッチ２２は係止孔２０から引抜かれて収納位置に引き込まれる。これにより、ラッチ２２と差込片１９との係止が解除される。
【００５４】
よって、図２１に示すように椅子１６を持ち上げれば、差込片１９が差込孔２１から引抜かれて椅子１６は可動床体２から撤去される。
【００５５】
なお、平坦な部分、ステージ１４、階段状のフロアー１５の形成部位、配列などは図示のものに限定されるものではなく、複数の可動床体２のうち、上昇させるもの、させないものを選択し、また、上昇させる可動床体２も個別に上昇高さを設定することで、任意の形態に形成可能である。
【図面の簡単な説明】
【００５６】
【図１】本発明の可動床の実施形態を示す要部の平面図である。
【図２】本発明の可動床の実施形態を示す要部である床下の平面図である。
【図３】本発明の可動床の実施形態を示す要部の可動床体上昇前の縦断正面図である。
【図４】本発明の可動床の実施形態を示す要部の可動床体上昇時の縦断正面図である。
【図５】本発明の可動床の実施形態を示す要部の可動床体の上昇行程を示す縦断正面図である。
【図６】本発明の可動床の実施形態を示す要部の階段状体の平面図である。
【図７】本発明の可動床の実施形態を示す要部の階段状体の上昇行程を示す縦断正面図である。
【図８】本発明の可動床の実施形態を示す要部の昇降手段のソレノイドオフ時の正面図である。
【図９】本発明の可動床の実施形態を示す要部の昇降手段のソレノイドオフ時の平面図である。
【図１０】本発明の可動床の実施形態を示す要部の昇降手段のソレノイドオン時の正面図である。
【図１１】本発明の可動床の実施形態を示す要部の昇降手段のソレノイドオン時の平面図である。
【図１２】本発明の可動床の実施形態を示す平坦に形成した場合の平面図である。
【図１３】本発明の可動床の実施形態を示す平坦部と階段状部の配列の一例の説明図である。
【図１４】本発明の可動床の実施形態を示す平坦部と階段状部の配列の他の例の説明図である。
【図１５】本発明の可動床の実施形態を示す要部である椅子の固定機構の側面図である。
【図１６】本発明の可動床の実施形態を示す要部である椅子の固定機構の椅子設置状態の平面図である。
【図１７】本発明の可動床の実施形態を示す要部である椅子の固定機構の平面図である。
【図１８】本発明の可動床の実施形態を示す要部である椅子の固定機構の椅子設置前の説明図である。
【図１９】本発明の可動床の実施形態を示す要部である椅子の固定機構の椅子設置時の説明図である。
【図２０】本発明の可動床の実施形態を示す要部である椅子の固定機構の椅子撤去時の説明図である。
【図２１】本発明の可動床の実施形態を示す要部である椅子の固定機構の椅子撤去後の説明図である。
【符号の説明】
【００５７】
１  可動床                      １ａ，１ｂ，１ｃ…１ｎ  分割体
１−１，１−２，１−３……１−９  ブロック
２  可動床体                    ２ａ  床下
３  可動階段体                  ３ａ，３ｂ，３ｃ，３ｄ  踏板
３ｅ  階段下                    ４  モータ
５  支持フレーム                ５ａ  ピン受け
５ｂ  係止孔                    ６  昇降フレーム
６ａ  ピン                      ６ｂ  アーム
６ｃ  ソレノイド                ６ｄ  プランジャー
６ｅ  切欠き
７  ベース                      ８  ネジ棒
９  ガイドパイプ                １０  ギヤ
１１  シリンダー                １２  ピストン
１３  アーム                    １４  ステージ
１５  階段状のフロアー          １６  椅子
１７  昇降パイプ                １８  側板
１９  差込片                    ２０  係止孔
２１  差込孔                    ２２  ラッチ
２３  軸部                      ２４  六角棒
２５  挿入孔
【図１】
0005166083.tif 000002
【図２】
0005166083.tif 000003
【図３】
0005166083.tif 000004
【図４】
0005166083.tif 000005
【図５】
0005166083.tif 000006
【図６】
0005166083.tif 000007
【図７】
0005166083.tif 000008
【図８】
0005166083.tif 000009
【図９】
0005166083.tif 000010
【図１０】
0005166083.tif 000011
【図１１】
0005166083.tif 000012
【図１２】
0005166083.tif 000013
【図１３】
0005166083.tif 000014
【図１４】
0005166083.tif 000015
【図１５】
0005166083.tif 000016
【図１６】
0005166083.tif 000017
【図１７】
0005166083.tif 000018
【図１８】
0005166083.tif 000019
【図１９】
0005166083.tif 000020
【図２０】
0005166083.tif 000021
【図２１】
0005166083.tif 000022